(57)【特許請求の範囲】
【請求項１】
実質的に垂直方向に伸びる垂直部と、垂直部に対して折り曲げられる収納部と、を有する左右一対のレールと、
前記左右一対のレール間に掛け渡され、紐状部材によって一連に連結される複数枚のパネルと、
各パネルの左右方向の両端部に設けられ、前記左右一対のレールそれぞれに沿って走行する少なくとも二つの第一のローラ及び第二のローラと、
前記紐状部材で連結される前記複数枚のパネルを前記レールの前記垂直部の上方に引き上げたり、前記垂直部の上方から引き下げたりする駆動機構と、を備え、
前記複数枚のパネルが前記レールの前記垂直部に引き下げられるとき、前記複数枚のパネルが実質的に垂直面内に配置されると共に、前記第一のローラが前記レールの前記垂直部の上側に、かつ前記第二のローラが前記レールの前記垂直部の下側に配置され、
前記複数枚のパネルが前記レールの前記垂直部から引き上げられて前記収納部へ移動するとき、各パネルが前記垂直面から９０度よりも大きい角度回転するように、前記第一のローラ及び前記第二のローラの上下方向の位置が反転し、前記第一のローラが前記収納部の下側レールを、かつ前記第二のローラが前記収納部の上側レールを走行し、
前記複数枚のパネルが前記レールの前記収納部の奥の方に移動するとき、前記第一のローラが前記収納部の前記下側レールを、かつ前記第二のローラが前記収納部の前記上側レールを走行するシャッタ装置。
【請求項２】
前記各パネルの左右方向の両端部には、前記左右一対のレールそれぞれの垂直部に沿って走行する第三のローラが設けられ、
前記レールの前記垂直部における前記各パネルの前記垂直面内の姿勢は、前記垂直部を走行する前記第二のローラ及び前記第三のローラによって保たれ、
前記レールの前記収納部における前記各パネルの姿勢は、前記収納部の前記下側レールを走行する前記第一のローラ、及び前記収納部の前記上側レールを走行する前記第二のローラによって保たれることを特徴とする請求項１に記載のシャッタ装置。
【請求項３】
前記各パネルは、前記各パネルの左右方向の両端部に設けられ、前記第一のローラ、前記第二のローラ及び前記第三のローラが取り付けられると共に前記紐状部材に連結される受け具と、左右一対の前記受け具間に掛け渡されるパネル本体と、を有し、
前記受け具を前記レールに組み付けたまま、前記受け具から前記パネル本体を着脱できることを特徴とする請求項２に記載のシャッタ装置。
【請求項４】
前記収納部の前記上側レール及び前記下側レールは、前記収納部の奥に向かって下側に傾き、
前記垂直部から前記収納部に引き上げられる前記複数枚のパネルが、その自重によって前記収納部の奥の方に移動することを特徴とする請求項１ないし３のいずれかに記載のシャッタ装置。
【請求項５】
前記収納部の前記上側レール及び下側レールは、前記第一のローラ又は前記第二のローラを上下方向から挟み込んでガイドすることを特徴とする請求項１ないし４のいずれかに記載のシャッタ装置。
【請求項６】
前記紐状部材は、前記各パネルの、前記第二のローラを回転可能に支持する支持軸に連結されることを特徴とする請求項１ないし５のいずれかに記載のシャッタ装置。
【請求項７】
実質的に垂直方向に伸びる垂直部と、垂直部に対して折り曲げられる収納部と、を有する左右一対のレールと、
前記左右一対のレールのそれぞれに沿って移動できるように設けられ、紐状部材によって連結される複数の受け具と、
各受け具に設けられ、前記左右一対のレールそれぞれに沿って走行する少なくとも二つの第一ローラ及び第二ローラと、
前記紐状部材で連結された前記複数の受け具を前記レールの前記垂直部の上方に引き上げたり、前記垂直部の上方から引き下げたりする駆動機構と、を備え、
左右一対の前記受け具間には、パネル本体を掛け渡すことができ、
前記複数の受け具が前記レールの前記垂直部に引き下げられるとき、複数枚のパネル本体が実質的に垂直面内に配置されると共に、前記第一のローラが前記レールの前記垂直部の上側に、かつ前記第二のローラが前記レールの前記垂直部の下側に配置され、
前記複数の受け具が前記レールの前記垂直部から引き上げられて前記収納部へ移動するとき、各パネル本体が前記垂直面から９０度よりも大きい角度回転するように、前記第一のローラ及び前記第二のローラの上下方向の位置が反転し、前記第一のローラが前記収納部の下側レールを、かつ前記第二のローラが前記収納部の上側レールを走行し、
前記複数枚のパネルが前記レールの前記収納部の奥の方に移動するとき、前記第一のローラが前記収納部の前記下側レールを、かつ前記第二のローラが前記収納部の前記上側レールを走行するシャッタ装置用金物。
【発明の詳細な説明】
【技術分野】
【０００１】
本発明は、建築物の出入口や窓等の開口を開閉するシャッタ装置及びシャッタ装置用金物に関する。
【背景技術】
【０００２】
シャッタ装置は、複数枚のパネルを移動させて建築物の出入口を開閉するものであり、空間を仕切るのに用いられる。建築物の出入口を自動的に開閉するシャッタ装置として、特許文献１に記載されたシャッタ装置が知られている。
【０００３】
建築物出入口の左右両側には左右一対のレールが設けられる。左右一対のレールには、左右方向に細長く伸びる複数枚のパネルが掛け渡される。複数枚のパネルは上下方向に多段に並べられると共に、チェーンによって一連に連結される。左右一対のレールは開口部の上部において、水平方向に折り曲げられる。レールの垂直部の上方には、一連に連結された複数枚のパネルを引き上げたり、引き下げたりする駆動機構が設けられる。駆動機構によって垂直部から引き上げられた複数枚のパネルは、自重によってあるいは後続のパネルに押されながら折り曲げられたレールの収納部へ移動する。チェーンは複数枚のパネルと一緒に収納部へ移動する。収納部ではパネル間の距離が短くなるので、チェーンはＵ字状に撓む。
【０００４】
レールの垂直部に引き下げられた複数枚のパネルは、垂直面内に並べられて出入口を閉じる。一方、レールの垂直部から複数枚のパネルを引き上げると出入口が開く。垂直部から引き上げられた複数枚のパネルは、自重によってレールの収納部に移動する。レールの収納部では、複数枚のパネルは垂直な姿勢のまま互いに平行に並べられる。複数枚のスラットの収納スペースを低減するためである。
【特許文献１】実用新案登録第２５３８７８７号公報
【発明の開示】
【発明が解決しようとする課題】
【０００５】
従来のシャッタ装置にあっては、複数枚のパネルがチェーンによって連結されていて、一枚一枚が独立している。そして、レールの収納部では、パネルはその自重あるいは後続のパネルに押されることによって収納部の奥の方に移動する。
【０００６】
しかし、収納部におけるパネルの姿勢が安定しないので、パネルがレールの収納部を円滑に移動することができず、パネルが収納部で詰まるおそれがある。具体的には、レールの収納部では、パネルの上側に設けられるローラがレールの収納部に案内されているのみであるので、パネルが上側のローラを支点として揺動してしまう。
【０００７】
そこで本発明は、レールの垂直部から収納部に円滑にパネルを移行させることができるシャッタ装置及びシャッタ装置用金物を提供することを目的とする。
【課題を解決するための手段】
【０００８】
上記課題を解決するために、請求項１に記載の発明は、実質的に垂直方向に伸びる垂直部と、垂直部に対して折り曲げられる収納部と、を有する左右一対のレールと、前記左右一対のレール間に掛け渡され、紐状部材によって一連に連結される複数枚のパネルと、各パネルの左右方向の両端部に設けられ、前記左右一対のレールそれぞれに沿って走行する少なくとも二つの第一のローラ及び第二のローラと、前記紐状部材で連結される前記複数枚のパネルを前記レールの前記垂直部の上方に引き上げたり、前記垂直部の上方から引き下げたりする駆動機構と、を備え、前記複数枚のパネルが前記レールの前記垂直部に引き下げられるとき、前記複数枚のパネルが実質的に垂直面内に配置されると共に、前記第一のローラが前記レールの前記垂直部の上側に、かつ前記第二のローラが前記レールの前記垂直部の下側に配置され、前記複数枚のパネルが前記レールの前記垂直部から引き上げられて前記収納部へ移動するとき、各パネルが前記垂直面から９０度よりも大きい角度回転するように、前記第一のローラ及び前記第二のローラの上下方向の位置が反転し、前記第一のローラが前記収納部の下側レールを、かつ前記第二のローラが前記収納部の上側レールを走行し、前記複数枚のパネルが前記レールの前記収納部の奥の方に移動するとき、前記第一のローラが前記収納部の前記下側レールを、かつ前記第二のローラが前記収納部の前記上側レールを走行するシャッタ装置である。
【０００９】
請求項２に記載の発明は、請求項１に記載のシャッタ装置において、前記各パネルの左右方向の両端部には、前記左右一対のレールそれぞれの垂直部に沿って走行する第三のローラが設けられ、前記レールの前記垂直部における前記各パネルの前記垂直面内の姿勢は、前記垂直部を走行する前記第二のローラ及び前記第三のローラによって保たれ、前記レールの前記収納部における前記各パネルの姿勢は、前記収納部の前記下側レールを走行する前記第一のローラ、及び前記収納部の前記上側レールを走行する前記第二のローラによって保たれることを特徴とする
【００１０】
請求項３に記載の発明は、請求項２に記載のシャッタ装置において、前記各パネルは、前記各パネルの左右方向の両端部に設けられ、前記第一のローラ、前記第二のローラ及び前記第三のローラが取り付けられると共に前記紐状部材に連結される受け具と、左右一対の前記受け具間に掛け渡されるパネル本体と、を有し、前記受け具を前記レールに組み付けたまま、前記受け具から前記パネル本体を着脱できることを特徴とする。
【００１１】
請求項４に記載の発明は、請求項１ないし３のいずれかに記載のシャッタ装置において、前記収納部の前記上側レール及び前記下側レールは、前記収納部の奥に向かって下側に傾き、前記垂直部から前記収納部に引き上げられる前記複数枚のパネルが、その自重によって前記収納部の奥の方に移動することを特徴とする。
【００１２】
請求項５に記載の発明は、請求項１ないし４のいずれかに記載のシャッタ装置において、前記収納部の前記上側レール及び下側レールは、前記第一のローラ又は前記第二のローラを上下方向から挟み込んでガイドすることを特徴とする。
【００１３】
請求項６に記載の発明は、請求項１ないし５のいずれかに記載のシャッタ装置において、前記紐状部材は、前記各パネルの、前記第二のローラを回転可能に支持する支持軸に連結されることを特徴とする。
【００１４】
請求項７に記載の発明は、実質的に垂直方向に伸びる垂直部と、垂直部に対して折り曲げられる収納部と、を有する左右一対のレールと、前記左右一対のレールのそれぞれに沿って移動できるように設けられ、紐状部材によって連結される複数の受け具と、各受け具に設けられ、前記左右一対のレールそれぞれに沿って走行する少なくとも二つの第一ローラ及び第二ローラと、前記紐状部材で連結された前記複数の受け具を前記レールの前記垂直部の上方に引き上げたり、前記垂直部の上方から引き下げたりする駆動機構と、を備え、左右一対の前記受け具間には、パネル本体を掛け渡すことができ、前記複数の受け具が前記レールの前記垂直部に引き下げられるとき、複数枚のパネル本体が実質的に垂直面内に配置されると共に、前記第一のローラが前記レールの前記垂直部の上側に、かつ前記第二のローラが前記レールの前記垂直部の下側に配置され、前記複数の受け具が前記レールの前記垂直部から引き上げられて前記収納部へ移動するとき、各パネル本体が前記垂直面から９０度よりも大きい角度回転するように、前記第一のローラ及び前記第二のローラの上下方向の位置が反転し、前記第一のローラが前記収納部の下側レールを、かつ前記第二のローラが前記収納部の上側レールを走行し、前記複数枚のパネルが前記レールの前記収納部の奥の方に移動するとき、前記第一のローラが前記収納部の前記下側レールを、かつ前記第二のローラが前記収納部の前記上側レールを走行するシャッタ装置用金物である。
【発明の効果】
【００１５】
請求項１に記載の発明によれば、レールの垂直部から収納部に移行するパネルを垂直面から９０度より大きい角度反転させるので、パネルの自重をパネルの高さ方向に設けた第一のローラ及び第二のローラに分散させることができる。パネルが収納部を移動する間、第一のローラ及び第二のローラの走行は収納部の下側レール及び上側レールに案内されるので、パネルの姿勢を拘束することができ、レールの垂直部から収納部に円滑にパネルを移行させることができる。しかも、パネルを反転させることで収納部におけるパネルの重心位置の高低差を大きくとれるので、パネルの自重によってパネルを収納部の奥の方まで移動させ易くなる。
【００１６】
請求項２に記載の発明によれば、パネルを左右一対のレールの前面側に配置し、パネルにモーメントがかかる場合であっても、第二及び第三のローラが垂直部におけるパネルの垂直姿勢を安定して保ち、第一及び第二のローラがレールの収納部におけるパネルの反転姿勢を安定して保つことができる。
【００１７】
請求項３に記載の発明によれば、受け具をレールに組み付けたままパネル本体を着脱できるので、例えば複数枚のパネル本体のうちの一枚のパネル本体が破損したときに、複数枚のパネルの全体を交換することはなく、破損した一枚のパネル本体のみを交換することができる。また、パネル本体を受け具に取り付けることで、パネルの重心を受け具の中心から離すことができ、パネルに反転し易くなるモーメントを発生させることができる。
【００１８】
請求項４に記載の発明によれば、パネルを収納部の奥の方まで移動することができる。
【００１９】
請求項５に記載の発明によれば、収納部におけるパネルの姿勢をより拘束することができる。
【００２０】
請求項６に記載の発明によれば、レールの垂直部から収納部へ移行するパネルを反転させ易くなる。
【００２１】
請求項７に記載の発明によれば、レールの垂直部から収納部に移行するパネルを垂直面から９０度より大きい角度反転させるので、パネルの自重をパネルの高さ方向に設けた第一のローラ及び第二のローラに分散させることができる。パネルが収納部を移動する間、第一のローラ及び第二のローラの走行は収納部の下側レール及び上側レールに案内されるので、パネルの姿勢を拘束することができ、レールの垂直部から収納部に円滑にパネルを移行させることができる。しかも、パネルを反転させることで収納部におけるパネルの重心位置の高低差を大きくとれるので、パネルの自重によってパネルを収納部の奥の方まで移動させ易くなる。
【発明を実施するための最良の形態】
【００２２】
以下添付図面に基づいて、本発明のシャッタ装置の実施形態を説明する。
【００２３】
図１は、本発明の一実施形態のシャッタ装置の全体図を示す。シャッタ装置は建築物の出入口や窓等の開口を開閉するのに用いられる。シャッタ装置は、互いに平行に伸びる左右一対のレール１と、左右一対のレール１間に架け渡される複数枚のパネル２と、を備える。上下方向に多段に並べられる複数枚のパネル２は、レール１に上下方向にスライドできるように組み付けられる。複数枚のパネル２は紐状部材であるチェーン３（図８参照）によって一連に連結される。チェーン３には駆動機構のスプロケット４が噛み合う。モータ５がスプロケット４を時計方向に回転させると、複数枚のパネル２が引き上げられ、レール１の上部の収納部１ｂに収納される。このとき出入口が開になる。一方、モータ５がスプロケット４を反時計方向に回転させると、収納部１ｂに収納された複数枚のパネル２が引き下げられ、出入口が閉になる。
【００２４】
レール１は、垂直方向に伸びる垂直部１ａと、垂直部１ａの上方に設けられる収納部１ｂとに分けられる。レール１の収納部１ｂは垂直部１ａに対してほぼ水平方向に折り曲げられる。レール１の収納部１ｂは、上側に配置される上側レール１ｂ１と、下側に配置される下側レール１ｂ２と、から構成される。上側レール１ｂ１は垂直部１ａの上端から上方に直線状に伸びた後、スプロケット４の周囲で約９０度折れ曲がり、その後、水平方向からやや下方に向けて直線状に伸びる。下側レール１ｂ２は、垂直部１ａの上端で円弧形状に曲げられた後、水平方向から下方に向けて直線状に伸びる。
【００２５】
図２及び図３は、複数枚のパネル２がレール１の垂直部１ａに移動した状態を示す。図３に示されるように、各パネル２は、板状のパネル本体６と、パネル本体６の左右方向の両端部に設けられる左右一対の受け具７とから構成される。左右一対のレール１の対向面には、垂直方向に細長く伸びる開口８が形成される。この開口８を介して略Ｖ字形状の受け具７がレール１から突き出る。パネル本体６は、左右方向に細長い長方形状に形成される。パネル本体６はレール１の垂直部１ａの前面側に配置され、パネル本体６の重心は受け具７の中心から離れているので、受け具７にはパネル本体６からのモーメントがかかる。パネル本体６の材質は、ガラス、陶磁器、セラミックス、木、樹脂等である。デザインを良くするためにパネル本体６に化粧を施してもよい。
【００２６】
図４は、レール１からパネル本体６及び受け具７を分離した状態を示す。受け具７は、略Ｖ字形状の取付け部９と、断面Ｌ字形状の本体部１０とをボルト等の結合手段で結合してなる。図５及び図６にも示されるように、略Ｖ字形状の取付け部９の先端には貫通孔９ａが開けられる。パネル本体６にはこの貫通孔９ａに対応する貫通孔６ａが開けられる。これらの貫通孔６ａ，９ａに化粧ビス１１を通し、化粧ビス１１と化粧ナット１２との間でパネル本体６を挟み、また化粧ビス１１に螺合させたナット１３で取付け部９を挟むことで、パネル本体６が受け具７に取り付けられる（図７も参照）。図５及び図６の分解図には、化粧ビス１１がパネル本体６の手前側に配置されているように示されているが、実際にはパネル本体６の奥側に配置されている。
【００２７】
ここで、受け具７の取付け部９はレール１から突き出ているので、受け具７をレール１に取り付けたまま、パネル本体６を着脱することができる。なお、見栄えをよくするために、パネル本体６の表面６ｂとレール１の表面１５とはほぼ同じ平面内に配置されるのが望ましい（図７参照）。
【００２８】
図５及び図６に示されるように、受け具７の本体部１０は、パネル本体６の高さと略等しい長さを持つ。本体部１０の上部には第一のローラ１８が回転可能に取り付けられ、本体部１０の下部には第二のローラ２０が回転可能に取り付けられる。本体部１０の上部には、ローラ支持プレート２１が取り付けられる。第一のローラ１８はこのローラ支持プレート２１の手前側に回転可能に取り付けられる。ローラ支持プレート２１の背面側には、第三のローラであるサポートローラ１９が回転可能に取り付けられる。
【００２９】
図７に示されるように、第一のローラ１８は軸線方向の両端に鍔を有して、全体形状がＨ字形状に形成される。この第一のローラ１８は、レール１の突状軌道２３上を走行する。外周面が円筒形に形成されるサポートローラ１９は、突状軌道２３に対向するレール１の内壁面２４上を走行する。第二のローラ２０は受け具７の本体部１０から突出する支持軸２５に回転可能に支持されている。外周面が円筒形に形成される第二のローラ２０は、垂直方向に伸びる一対の対向面２６間に挟まれていて、一対の対向面２６間の軌道を走行する。
【００３０】
パネル２がレール１の垂直部１ａに沿ってスライドするとき、パネル２の高さ方向の上側では、第一のローラ１８がレール１の突状軌道２３上を走行し、サポートローラ１９が突状軌道２３に対向するレール１の内壁面２４上を走行する。そして、パネル２の高さ方向の下側では、第二のローラ２０がレール１の一対の対向面２６間の軌道上を走行する。レール１の垂直部１ａにおけるパネル２の垂直姿勢は、パネル２の高さ方向の上側のサポートローラ１９及び下側の第二のローラ２０で保たれるので、パネル２にモーメントがかかっても、パネル２は安定した垂直姿勢を保ったままレール１の垂直部１ａ内をスライドする。
【００３１】
図８に示されるように、受け具７の支持軸２５には、複数枚のパネル２を一連に連結するための紐状部材であるチェーン３が連結される。複数枚のパネル２は、チェーン３によって一連に連結されている。チェーン３を引き上げることで、複数枚のパネル２を同時に引き上げることができ、またチェーンを引き下げることで、複数枚のパネル２を同時に引き下げることができる。
【００３２】
図９は、最下部に位置するボトムパネル３１を示す。ボトムパネル３１もレール１に沿ってスライドするボトムパネル用受け具３２と、ボトムパネル用受け具３２に対して着脱自在に取り付けられるボトムパネル本体３３から構成される。ボトムパネル本体３３の高さは、パネル本体６の高さよりも小さい。このため、ボトムパネル用受け具３２の高さは、受け具７の高さよりも小さい。ボトムパネル用受け具３２にも、受け具７と同様に、第一のローラ１８、第二のローラ２０及びサポートローラ１９が回転可能に取り付けられる。第二のローラ２０を支持する支持軸３４には、チェーン３が連結される。
【００３３】
図１０及び図１１は、レール１の収納部１ｂの組立図を示す。レール１の上方のブラケット４１には、収納部１ｂの上側レール１ｂ１及び下側レール１ｂ２が取り付けられる。上側レール１ｂ１は、垂直部１ａの対向面２６間の軌道（図７参照）に連続する。上側レール１ｂ１は、垂直部１ａの上端から上方にスプロケット４に向かって直線状に伸びた後、スプロケット４の周囲で約９０度折れ曲がり、その後、水平方向からやや下方に向けて直線状に伸びる。上側レール１ｂ１は直線部分の途中４５で傾斜角度が僅かに急になっている。図１１に示されるように、この上側レール１ｂ１をパネル２の第二のローラ２０が走行する。第二のローラ２０は、上側レール１ｂ１を走行する間、上側レール１ｂ１の一対の対向する対向面４３の間に上下方向に挟まれてガイドされる。
【００３４】
下側レール１ｂ２は、レール１の垂直部１ａの突状軌道２３（図７参照）に連続する。下側レール１ｂ２は、垂直部１ａの上端で円弧形状に曲げられた後、水平方向から下方に向けて直線状に伸びる。下側レール１ｂ２の先端部では、傾斜角度が緩やかになっている。プレート状の下側レール１ｂ２は、ブラケット４１に支持棒４２を介して取り付けられる。下側レール１ｂ２には下側レール１ｂ２に沿って細長く伸びる開口４４が形成される。この開口４４をパネル２の第一のローラ１８が走行する。図１２の拡大図に示されるように、第一のローラ１８には下側レール１ｂ２を挟む鍔が形成されるので、第一のローラ１８が下側レール１ｂ２から脱輪することはない。
【００３５】
図１０に示されるように、駆動機構のスプロケット４は、レール１の垂直部１ａの上方に配置される。スプロケット４はパネル２を一連に連結するチェーン３に噛み合い、複数枚のパネル２をレール１の垂直部１ａから収納部１ｂに引き上げたり、収納部１ｂから垂直部１ａへ引き下げたりする。スプロケット４はモータ５によって正逆に回転駆動される。モータ５の回転は中間スプロケット４６を介してスプロケット４に伝達される。図１１に示されるように、モータ５と中間スプロケット４６との間には第一のベルト４７が掛けられ、モータ５の回転は減速して中間スプロケット４６に伝達される。中間スプロケット４６とスプロケット４との間には第二のベルト４８が掛けられ、中間スプロケット４６の回転はさらに減速してスプロケット４に伝達される。
【００３６】
図１３ないし図１７は、パネル２の動作図を示す。図１３に示されるように、駆動機構のスプロケット４が反時計方向に回転すると、複数枚のパネル２がレール１の収納部１ｂから垂直部１ａに引き下げられる。このとき、第一のローラ１８がレール１の垂直部１ａの上側を、かつサポートローラ１９がレール１の垂直部１ａの下側を走行する。そして、複数枚のパネル２が垂直面内に配置される。
【００３７】
図１４に示されるように、スプロケット４を時計方向に回転させると、パネル２がレール１の垂直部１ａから引き上げられて収納部１ｂへ移動する。このとき、第一のローラ１８は垂直部１ａから収納部１ｂの下側レール１ｂ２へと移行し、パネル２の上部がシャッタ装置の奥側（図中右側）に傾く。スプロケット４がさらにパネル２を引き上げると、パネル２の回転角度が除々に大きくなると共に、第二のローラ２０が収納部１ｂの上側レール１ｂ１へと移行し、最終的には第一のローラ１８と第二のローラ２０の上下方向の位置が反転する。すなわち、第二のローラ２０が第一のローラ１８よりも上側に配置されるようになる。これに伴い、パネル２の回転角度は９０度よりも大きくなる。パネル２の反転姿勢は、収納部１ｂの上側レール１ｂ１を走行する第二のローラ２０、及び収納部１ｂの下側レール１ｂ２を走行する第一のローラ１８によって保たれる。
【００３８】
図１５に示されるように、スプロケット４がパネル２を最上部まで引き上げた後は、パネル２はその自重によって収納部１ｂの奥の方に移動する。上側レール１ｂ１及び下側レール１ｂ２は収納部１ｂの奥に向かって下側に傾いているからである。パネル２が収納部１ｂの奥の方に移動するとき、パネル２の回転角度はさらに大きくなる。
【００３９】
図１６及び図１７に示されるように、スプロケット４がさらに複数枚のパネル２を引き上げると、複数枚のパネル２は順次収納部１ｂの奥の方に収納される。収納部１ｂの奥では、隣り合うパネル２同士が接近し、かつ平行になる。このとき、パネル２同士を連結するチェーン３はＵ字状に撓む。パネル２の平行姿勢は、収納部１ｂの上側レール１ｂ１を走行する第二のローラ２０、及び収納部１ｂの下側レール１ｂ２を走行する第一のローラ１８によって保たれる。
【００４０】
図１８は、スプロケット４がすべてのパネル２を引き上げ終わった状態を示す。この状態では、ボトムパネル３１がレール１の垂直部１ａの上端に位置する。なお、すべてのパネル２が収納部１ｂの奥まで移動することはなく、収納部１ｂの手前側までしか移動しないパネル２もある。収納部１ｂの奥の方に移動した複数枚のパネル２は姿勢が平行になった後、互いに接触するまで接近する。
【００４１】
本実施形態においては、レール１の垂直部１ａから収納部１ｂに移行するパネル２を垂直面から９０度より大きい角度反転させる。このため、パネル２の自重を第一のローラ１８及び第二のローラ２０に分散させることができ、パネル２の姿勢を拘束することができる。したがって、レール１の垂直部１ａから収納部１ｂに円滑にパネル２を移行させることができる。しかも、パネル２を反転させることで収納部１ｂにおけるパネル２の重心位置の高低差を大きくとれるので、パネル２の自重によってパネル２を収納部１ｂの奥の方まで移動させ易くなる。
【００４２】
図１９は、パネル２の姿勢を反転させることなく、収納部１ｂの二本の上側及び下側レール１ｂ１，１ｂ２に垂直な姿勢を保ったまま移動させる比較例を示す。この比較例の場合、パネル２の自重を第一のローラ１８及び第二のローラ２０に均一に分散させるのが困難であるので、パネル２の姿勢を拘束することができず、パネル２がわずかに揺動してしまう。このため、パネル２が二本のレール１ｂ１，１ｂ２に沿って自重で移動しようとしても、パネル２が円滑に移動できず、パネル２が詰まる可能性が高くなる。しかも、パネル２の重心位置の高低差も小さいので、パネル２を奥まで移動させる力も弱くなってしまう。
【００４３】
図２０は、パネル２及びレール１の他の例を示す。この例では、レール１にもレール１を覆うパネル４９が取り付けられている。出入口を開閉するためのパネル２の表面とレール１に取り付けられるパネル４９の表面とは、レール１の前面よりも前方に飛び出した同一の平面内に配置される。この例のように、レール１をパネル４９で覆うと、よりデザインがよくなる。出入口を開閉するためのパネル２を受ける受け具７、レール１の構造は、上記実施形態と同一なので同一の符号を附してその説明を省略する。昇降と同様に
【００４４】
なお、本発明は上記実施形態に限られることなく、本発明の要旨を変更しない範囲でさまざまに変更できる。たとえば、上側及び下側レールは、上下方向から第一又は第二のローラを挟まなくても、下側のみから支えてもよい。また、左右一対のレールは、パネルをその自重によってレールの垂直部に引き下げることができれば、垂直方向から傾けられてもよい。紐状部材には、チェーンの他にベルト、ロープなどを用いることもできる。
【図面の簡単な説明】
【００４５】
【図１】本発明の一実施形態のシャッタ装置の全体図（図中（Ａ）は正面図を示し、（Ｂ）は（Ａ）のＢ−Ｂ線断面図を示し、（Ｃ）は（Ａ）のＣ−Ｃ線断面図を示す）
【図２】レールの垂直部及びパネルを示す正面側斜視図
【図３】レールの垂直部及びパネルを示す背面側斜視図
【図４】レールの垂直部及びパネルの分解斜視図
【図５】パネルの分解斜視図
【図６】パネルの拡大分解斜視図
【図７】レールの垂直部及びパネルを上方からみた平面図
【図８】パネルの組立図（図中（Ａ）は正面図を示し、（Ｂ）は側面図を示し、（Ｃ）は背面図を示し、（Ｄ）は平面図を示す）
【図９】ボトムパネルの組立図（図中（Ａ）は正面図を示し、（Ｂ）は側面図を示し、（Ｃ）は背面図を示し、（Ｄ）は平面図を示す）
【図１０】レールの収納部の組立図（図中（Ａ）は正面図を示し、（Ｂ）は平面図を示し、（Ｃ）は側面図を示す）
【図１１】レールの収納部の詳細組立図（図中（Ａは正面図を示し、（Ｂ）は（Ａ）のＢ−Ｂ線断面図を示す）
【図１２】図１１（Ｂ）のレールの収納部の拡大図
【図１３】パネルの動作図（１／６）
【図１４】パネルの動作図（２／６）
【図１５】パネルの動作図（３／６）
【図１６】パネルの動作図（４／６）
【図１７】パネルの動作図（５／６）
【図１８】パネルの動作図（６／６）
【図１９】比較例のパネルの動作図
【図２０】レールの垂直部及びパネルの他の例を示す平面図
【符号の説明】
【００４６】
１…レール
１ｂ２…下側レール
１ｂ…収納部
１ｂ１…上側レール
１ａ…垂直部
２…パネル
３…チェーン（紐状部材）
４…スプロケット（駆動機構）
５…モータ（駆動機構）
６…パネル本体
７…受け具
１８…第一のローラ
１９…サポートローラ（第三のローラ）
２０…第二のローラ
２５…支持軸
【図１】
0005023291.tif 000002
【図２】
0005023291.tif 000003
【図３】
0005023291.tif 000004
【図４】
0005023291.tif 000005
【図５】
0005023291.tif 000006
【図６】
0005023291.tif 000007
【図７】
0005023291.tif 000008
【図８】
0005023291.tif 000009
【図９】
0005023291.tif 000010
【図１０】
0005023291.tif 000011
【図１１】
0005023291.tif 000012
【図１２】
0005023291.tif 000013
【図１３】
0005023291.tif 000014
【図１４】
0005023291.tif 000015
【図１５】
0005023291.tif 000016
【図１６】
0005023291.tif 000017
【図１７】
0005023291.tif 000018
【図１８】
0005023291.tif 000019
【図１９】
0005023291.tif 000020
【図２０】
0005023291.tif 000021